(57)【特許請求の範囲】
【請求項１】
写真用印画紙を写真用印画紙の両面から圧着しつつ移動する一対の周面を備えた搬送手段と、前記搬送手段から排出された写真用印画紙を、前記搬送手段の搬送上流側に位置する上流側搬送経路に対して交差した下流側搬送経路へと案内する案内手段とを備えた写真用印画紙用の搬送機構であって、
前記案内手段が、前記搬送手段から排出された写真用印画紙の進路を、写真用印画紙の非乳剤面との接当に基づいて前記下流側搬送経路へと変更するために、前記搬送手段の写真用印画紙送り出し方向と交差する案内面を有する写真用印画紙用の搬送機構。
【請求項２】
前記搬送手段の前記写真用印画紙送り出し方向は、前記下流側搬送経路と前記上流側搬送経路との双方と、前記下流側搬送経路が前記上流側搬送経路に対してなす所定角度を下回る傾斜角をなすように構成されている請求項１に記載の写真用印画紙用の搬送機構。
【請求項３】
前記所定角度は９０°であり、前記案内手段の前記案内面は、前記搬送手段の前記一対の周面と写真用印画紙の間に形成される接線と、９０°を下回る傾斜角をなすように構成されている請求項２に記載の写真用印画紙用の搬送機構。
【請求項４】
前記傾斜角は１５°と４５°の範囲内にある請求項３に記載の写真用印画紙用の搬送機構。
【請求項５】
前記搬送手段の前記写真用印画紙送り出し方向は、互いに平行な軸芯を備えた第１および第２ローラ対と、前記第１ローラ対の各周面に巻き回された第１無端ベルトと、前記第１無端ベルトの外周面に写真用印画紙を押し付けるように前記第２ローラ対の各周面に巻き回された第２無端ベルトとによって形成されている請求項１から４のいずれか１項に記載の写真用印画紙用の搬送機構。
【請求項６】
さらに、前記第１ローラ対の両軸芯と協働して三角形をなすように配置された軸芯周りで回転可能な第５のローラが前記第１ローラ対よりも上流側に設けられており、前記第１無端ベルトは、前記第１ローラ対と前記第５のローラからなる３つのローラに同時に巻き回されており、前記第５のローラの周面から前記第１ローラ対の周面に向かって延びる前記第１無端ベルトの上流部位は、前記上流側搬送経路に沿って延びており、前記第２無端ベルトは、写真用印画紙を前記第１無端ベルトの前記上流部位にも押し付け可能に構成されている請求項５に記載の写真用印画紙用の搬送機構。
【発明の詳細な説明】
【０００１】
【発明の属する技術分野】
本発明は、写真用印画紙を写真用印画紙の両面から圧着しつつ移動する一対の周面を備えた搬送手段と、前記搬送手段から排出された写真用印画紙を、前記搬送手段の搬送上流側に位置する上流側搬送経路に対して交差した下流側搬送経路へと案内する案内手段とを備えた写真用印画紙用の搬送機構に関する。
【０００２】
【従来の技術】
従来、上記の目的を果たす写真用印画紙用の搬送機構の例としては、図７に例示されたような、写真用プリンタープロセッサーの露光部の下流側に設けられた搬送機構が挙げられる。この搬送機構では、露光部から鉛直上方に搬送される露光済みの印画紙１は、露光部の横に位置する現像処理部１３′に向かう水平な次の搬送経路へと案内するために、印画紙の進行方向を約９０°変えるターン部を備えている。このターン部は、モータなどの駆動手段によって水平な軸芯周りで回転操作される一つのターンローラ７０と、印画紙１をターンローラ７０の側面に水平方向から押し付ける第１圧着ローラ７２と、第１圧着ローラ７２よりも下流側に在って印画紙１をターンローラ７０の上面に上方から押し付ける第２圧着ローラ７４とを備えている。さらに、ターン部は、これらの複数のローラ７０，７２，７４によって搬送される印画紙１と印画紙１の乳剤面と非乳剤面の両側から対向するガイド部材７６，７８を有する。このガイド部材７６，７８は、ターンローラ７０と第２圧着ローラ７４の間の圧着面から更に下流側にまで延びた延長部７６ａ，７８ａを含み、この延長部７６ａ，７８ａは、ターンローラ７０と第２圧着ローラ７４の間から水平に延びた接線と平行に延びている。但し、延長部７６ａ，７８ａどうしの間には十分な間隔が形成されているので、通常使用時における印画紙１（すなわち、現像処理部１３′に配置されたローラ対３０′，３０′による搬送が開始された状態での印画紙１）は、上側と下側の延長部７６ａ，７８ａのいずれとも接触することなく搬送されることが期待できる。仮に、これらの上側と下側の延長部７６ａ，７８ａが無ければ、印画紙１の先端を現像部１３′のローラ対３０′に受け渡す操作が円滑にできない。
【０００３】
【発明が解決しようとする課題】
しかし、上記の構成による写真用印画紙用の搬送機構では、印画紙の先端を現像部側のローラ対に受け渡す操作に際して、或いは、ターンローラの搬送速度と現像部側のローラ対の搬送速度とに不一致が生じた場合に、印画紙の先端の乳剤面がガイド部材（特に、下側ガイド板）と接触して損傷を受ける虞があった。
【０００４】
したがって、本発明の目的は、上に例示した従来技術による写真用印画紙用の搬送機構の持つ前述した欠点に鑑み、印画紙の先端を現像部側のローラ対に受け渡す操作に際して、或いは、ターンローラの搬送速度と現像部側のローラ対の搬送速度とに不一致が生じた場合にも、印画紙の先端の乳剤面がガイド部材と接触して損傷を受ける虞がより少ない写真用印画紙用の搬送機構を提供することにある。
【０００５】
【課題を解決するための手段】
上記目的を達成するために、本発明に係る写真用印画紙用の搬送機構は、特許請求の範囲の請求項１から６に記された特徴構成を備えている。
因みに、本発明の請求項１による写真用印画紙用の搬送機構は、
前記案内手段が、前記搬送手段から排出された写真用印画紙の進路を、写真用印画紙の非乳剤面との接当に基づいて前記下流側搬送経路へと変更するために、前記搬送手段の写真用印画紙送り出し方向と交差する案内面を有することを特徴構成としている。
【０００６】
このような特徴構成を備えているために、本発明の請求項１による写真用印画紙用の搬送機構では、前記搬送手段から排出された写真用印画紙は、前記案内手段に設けられた案内面と写真用印画紙の非乳剤面を介して接当するので、案内面が乳剤面と接触することなく、写真用印画紙の進路は前記搬送経路へと変更される。したがって、写真用印画紙の乳剤面が、進路変更に際して損傷される虞が少ない。
【０００７】
さらに、前記搬送手段の前記写真用印画紙送り出し方向は、前記下流側搬送経路と前記上流側搬送経路との双方と、前記下流側搬送経路が前記上流側搬送経路に対してなす所定角度を下回る傾斜角をなすように構成することができる。
このように構成すれば、写真用印画紙は、下流側搬送経路から前記一対の周面へ移り変わる際に前記所定角度を下回る傾斜角で進路変更し、次に、前記一対の周面から前記下流側搬送経路へ移り変わる際に再び前記所定角度を下回る傾斜角で進路変更すると言う具合に２段階で前記所定角度の進路変更を達成するので、図７の例のように一つのターンローラの周面を介して一度に所定角度の進路変更を達成する構成に比して、写真用印画紙に矯正される湾曲状の変形度が実質的に小さくなり、写真用印画紙が進路変更に際してより損傷を受け難い。
【０００８】
より具体的には、前記所定角度は９０°であり、前記案内手段の前記案内面は、前記搬送手段の前記一対の周面と写真用印画紙の間に形成される接線と、９０°を下回る傾斜角をなすように構成することができる。
【０００９】
さらに具体的には、前記傾斜角は１５°と４５°の範囲内にある構成とすることができる。
一般に写真用印画紙は、乳剤面側を外側にしたロール状で供給されるため、ベース面側（非乳剤面）を内側に巻き込むような湾曲形状にカールする傾向があるが、上記のように構成すれば、前記一対の周面から排出される写真用印画紙は、確実にベース面側（非乳剤面）が前記案内面に押し当てられるように排出されながら、しかも、写真用印画紙に無理な変形力を加えることなく下流側搬送経路へ進路変更される。
【００１０】
また、前記搬送手段の前記写真用印画紙送り出し方向は、互いに平行な軸芯を備えた第１および第２ローラ対と、前記第１ローラ対の各周面に巻き回された第１無端ベルトと、前記第１無端ベルトの外周面に写真用印画紙を押し付けるように前記第２ローラ対の各周面に巻き回された第２無端ベルトとによって形成されている構成とすることができる。
【００１１】
このように構成すれば、写真用印画紙は、２枚の無端ベルトどうしの間で十分な面接触に基づいて搬送されるので、ローラ対の組み合わせと、これらのローラ対どうしの間に延びた案内部材のみで構成された搬送機構に比して、進路変更に伴う蛇行傾向や、写真用印画紙の特に乳剤面側が案内部材との摩擦で損傷を受ける等の問題が生じ難い。
【００１２】
さらに、前記第１ローラ対の両軸芯と協働して三角形をなすように配置された軸芯周りで回転可能な第５のローラが前記第１ローラ対よりも上流側に設けられており、前記第１無端ベルトは、前記第１ローラ対と前記第５のローラからなる３つのローラに同時に巻き回されており、前記第５のローラの周面から前記第１ローラ対の周面に向かって延びる前記第１無端ベルトの上流部位は、前記上流側搬送経路に沿って延びており、前記第２無端ベルトは、写真用印画紙を前記第１無端ベルトの前記上流部位にも押し付け可能であると言う構成とすることができる。
【００１３】
このように構成すれば、写真用印画紙は、先ず、第５のローラの周面から第１ローラ対の上流側のローラの周面に向かって延びる第１無端ベルトが第２無端ベルトの対応する部位と協働して形成する前記上流側搬送経路に沿って搬送され、次に、第１ローラ対の上流側のローラの周面に巻き回された第１無端ベルトの曲率部で緩やかに進路変更（９０°未満の進路変更）されながら、さらに、第１ローラ対付近で第１と第２無端ベルトが延びる搬送経路へと、一貫して前記第１と第２無端ベルトの間に挟着された状態で、ガイド部材等の進路変更を助ける手段無しに搬送される。したがって、静止したガイド部材などとの摩擦で写真用印画紙の乳剤面等が損傷を受ける虞が少ない。
【００１４】
本発明によるその他の特徴および利点は、以下図面を用いた実施形態の説明により明らかになるであろう。
【００１５】
【発明の実施の形態】
本発明の実施形態の一例について図面に基づいて解説する。
図１と図２は、本発明に係る写真用印画紙用の搬送機構を適用した写真処理装置としてのプリンタプロセッサ１００を示す。
（プリンタプロセッサの全体構造）
プリンタプロセッサ１００は、焼付露光部Ａと現像処理部Ｂを有する。このうち、焼付露光部Ａは、主に、ロール状に巻いた印画紙Ｐ１またはＰ２を収納した一対のペーパーマガジン３Ａ，３Ｂ、主に搬送用ベルトからなる搬送装置６、露光用の光源９、ミラートンネル１０、写真フィルムＦを保持するフィルムマスク１１、および、レンズユニット１２からなる公知の構造を備える。他方、現像処理部Ｂは、現像処理液を貯留する複数の槽１３ａを備えた現像処理槽部１３、現像処理を終えた印画紙を乾燥する乾燥処理部１４等からなる。また、これら焼付露光部Ａと現像処理部Ｂに属する各部位の操作を、特に図示されていない操作卓などから入力された指示、及び予め設定されているプログラムに従って制御する制御装置（不図示）が備えられている。
【００１６】
ペーパーマガジン３Ａ、３Ｂのいずれか一方から引き出された印画紙Ｐ１またはＰ２は、搬送装置６によりカッタ部８まで送られ、ここで、適切な矩形寸法に切断された後、搬送装置６の一部を構成する露光台７上に載置される（図１では、印画紙１が露光台７に設けられた吸着機構によって露光台７上に静止した状態が示されている）。ここで、光源９を発した光は、フィルムマスク１１上の写真フィルムＦを透過後、レンズユニット１２を通り、露光台７上の矩形の印画紙に適正時間だけ照射されることで、印画紙への焼付露光が実行される。焼付露光された印画紙１は、搬送装置６の後半部により矢印の方向に沿って現像処理槽部１３向きに送られる。搬送装置６の前記後半部は、傾斜した搬送経路を備えた第１搬送ローラユニット６Ｕと、鉛直上方に延びた搬送経路を備えた第２搬送ローラユニット６Ｕ′とからなる。第１と第２搬送ローラユニット６Ｕ，６Ｕ′はいずれも、互いに離間したローラ対に巻き回された２基の無端ベルト駆動機構で構成され、これらの無端ベルト駆動機構どうしが互いに向き合って印画紙１を間に挟着しながら搬送するように構成されている。
【００１７】
第２搬送ローラユニット６Ｕ′の下流側、言い換えれば、第２搬送ローラユニット６Ｕ′の上方には、コーナー部搬送機構２０が配置されている。コーナー部搬送機構２０は、第２搬送ローラユニット６Ｕ′内の鉛直に延びた搬送経路に沿って搬送されてきた印画紙１を、水平に延びた下流側搬送経路へと進路変更する役割を果たす。
図３に示されるように、コーナー部搬送機構２０は、互いに平行な水平軸芯周りで回転可能な３個のローラＲ１，Ｒ２，Ｒ５の周りに巻き回された第１ターンベルトＢ１（第１無端ベルトの一例）と、第１ターンベルトＢ１と協働して印画紙１を挟着するために、これらとは別の、やはり互いに平行な水平軸芯周りで回転可能な３個の回転可能なローラＲ３，Ｒ４，Ｒ６の周りに巻き回された第２ターンベルトＢ２（第２無端ベルトの一例）とから構成される搬送手段と、第１ターンベルトＢ１と第２ターンベルトＢ２の出口付近に配置された案内部材２２によって構成される案内手段とを含む。
【００１８】
第１ターンベルトＢ１を支持しているローラＲ１，Ｒ２，Ｒ５の内で、下流側の２つのローラＲ１，Ｒ２は、第１ローラ対ＲＰ１を構成している。第１ローラ対ＲＰ１の２つのローラＲ１，Ｒ２の内でより下流側のローラＲ２の軸芯は、ローラＲ１より上方に配置されているために、これら２つの軸芯どうしを連結する仮想線分は水平に対して約４５°だけ傾斜している。しかし、コーナー部搬送機構２０による進路変更時に印画紙１に加えられる湾曲状の変形度合いを決定する中枢的な駆動ローラであるローラＲ１は、印画紙１への変形に基づく負担を軽減する目的で、ローラＲ２よりも大径に構成されているために、結果的に、第１ローラ対ＲＰの２つの周面に巻き回された第１ターンベルトＢ１の部位（ローラＲ１とローラＲ２の共通接線と一致する）は、水平に対して約３０°だけ傾斜している。他方、ローラＲ１の周面からローラＲ５（第５のローラの例）の周面に延びた第１ターンベルトＢ１の部位（ローラＲ１とローラＲ５の共通接線と一致する）は、鉛直上方に延びている。因みに、第１ターンベルトＢ１は、ローラＲ２を介してモータによって回転駆動される。そして、第２ターンベルトＢ２は、第１ターンベルトＢ１の回転に従動する形で、第１ターンベルトＢ１と同期した周速度で回転駆動される。尚、ローラＲ４とローラＲ２とを互いに外径の等しいローラとしておき、さらに、ローラＲ２の回転運動を、互いに歯数が等しく且つローラＲ４とローラＲ２の各々と一体回転する一対のピニオンギヤを介してローラＲ４に伝える等の連動機構を設けることによって、第２ターンベルトＢ２を第１ターンベルトＢ１と同期した周速度で回転駆動させても良い。
【００１９】
次に、第２ターンベルトＢ２を支持しているローラＲ３，Ｒ４，Ｒ６の内で、最も上流側と最も下流側の２つのローラＲ３，Ｒ４は、第２ローラ対ＲＰ２を構成している。そして、最も上流側のローラＲ３は、第１ターンベルトＢ１を支持している第５のローラＲ５、及び、これらの２つのローラＲ３，Ｒ５の間に挟まれる第１と第２ターンベルトＢ１，Ｂ２と協働して、鉛直方向に延びた接線を形成している。また、最も下流側のローラＲ４は、第１ターンベルトＢ１を支持しているローラＲ２、及び、これらの２つのローラＲ２，Ｒ４の間に挟まれる第１と第２ターンベルトＢ１，Ｂ２と協働して、水平に対して約３０°だけ傾斜した接線を形成している。さらに、２つのローラＲ３，Ｒ４の間に回転可能に支持されている第６のローラＲ６は、第２ターンベルトＢ２の外側の軌道を更に外向きに支持している。この第６のローラＲ６は、ローラＲ３上の周面から、ローラＲ１によって第２ターンベルトＢ２側に突出した第１ターンベルトＢ１との接点を介して、ローラＲ４上の周面を通過後、再びローラＲ３に復帰する直前の第２ターンベルトＢ２が、ローラＲ１によって上方内側に押し戻された第２ターンベルトＢ２と接触しないために設けられている。
【００２０】
以上の構成の結果、軸芯どうしが三角形を形成するように配置されたローラＲ１，Ｒ２，Ｒ５によって支持された第１ターンベルトＢ１は、ローラＲ５の周面からローラＲ１の周面に向かって直線状に延びる第１直線軌道と、ローラＲ１の周面からローラＲ２の周面に向かって直線状に延びる第２直線軌道とを有する。この第２直線軌道が、第１ターンベルトＢ１等によって構成される前記搬送手段による写真印画紙送り出し方向を規定している。
また、ローラＲ３，Ｒ４，Ｒ６によって支持された第２ターンベルトＢ２もまた、ローラＲ３の周面からローラＲ１の周面上の第１ターンベルトＢ１によって擬似的に形成された周面に向かって直線状に延びる第１直線軌道と、前記擬似的に形成された周面からローラＲ４の周面に向かって直線状に延びる第２直線軌道とを有する。
第１ターンベルトＢ１と第２ターンベルトＢ２の各第１直線軌道は、鉛直に延びており、同様に、第２直線軌道は、水平に対して約３０°の傾斜角で延びている。
【００２１】
案内部材２２は、第１ターンベルトＢ１と第２ターンベルトＢ２の出口付近で、上方に配置されたベース面側ガイド板部材２４と、下方に配置された乳剤面側ガイド板部材２６とからなる。ベース面側ガイド板部材２４には、下方に面し水平に延びた案内面２４ａが形成されており、乳剤面側ガイド板部材２６には、上方に面し水平に延びた案内面２６ａが形成されている。言い換えれば、ベース面側ガイド板部材２４の案内面２４ａは、搬送中の印画紙１のベース面側に面し、乳剤面側ガイド板部材２６の案内面２６ａは、搬送中の印画紙１の乳剤面側に面している。また、案内面２４ａと案内面２６ａとは互いに、最も厚手の印画紙１の厚さを超える間隔で上下に隔てられることで、ここに水平な搬送経路を形成している。
【００２２】
他方、前記第２直線軌道での第１ターンベルトＢ１と第２ターンベルトＢ２の間に形成された接線、或いは、第１ターンベルトＢ１と印画紙１の間に形成される接線は、水平に対して約３０°の角度をなしているので、案内部材２２の、ベース面側ガイド板部材２４と乳剤面側ガイド板部材２６の間に形成される前記水平な搬送経路は、前記接線に対して約３０°の角度を形成することになる。さらに、印画紙１は、一般に乳剤面側を外側にしたロール状で供給されることに起因して、ベース面側（非乳剤面）を内側に巻き込むような湾曲形状にカールする傾向があるため、第１ターンベルトＢ１と第２ターンベルトＢ２の出口から排出された印画紙１の先端は、一般に、上向きに巻き込まれるような形状で案内部材２２に進入する。したがって、第１と第２ターンベルトＢ１，Ｂ２の出口から排出されて、案内部材２２内に進入する印画紙１の先端は、図４に示されるように、先ず、乳剤面側ガイド板部材２６側ではなく、必ずベース面側ガイド板部材２４側の水平な案内面２４ａに向かって斜めに（約３０°の突入角で）突入する。そして、搬送の経過に従って引き続き、図５に示されるように、第１ターンベルトＢ１と第２ターンベルトＢ２による押し出し力に基づいて、印画紙１は、その屈曲点ＴＰを案内面２４ａの上流側端部付近に保持しながら、飽くまでベース面側が、ベース面側ガイド板部材２４の下面、すなわち案内面２４ａ上に摩擦を介して接当した状態で、案内部材２２内から抜け出て、現像処理槽部１３内の搬送ローラ対３０，３０に受け渡される。
【００２３】
その結果、第２搬送ローラユニット６Ｕ′からコーナー部搬送機構２０を介して現像処理部１３へと受け渡される際に、第２搬送ローラユニット６Ｕ′から排出された印画紙１は、先ず、第１ターンベルトＢ１と第２ターンベルトＢ２によって両面を挟着されながら、ローラＲ１によって約６０°だけ現像処理部１３側に傾斜した経路に進路を変更され、第１ターンベルトＢ１と第２ターンベルトＢ２を抜け出してからは、案内部材２２内の上側の案内面２４ａに押し付けられながら、現像処理部１３へと搬送されるので、この間、印画紙１の乳剤面側が静止した案内部材などと摩擦を起こす行程がない。
このように、印画紙１は（その先端でさえ）、乳剤面側ガイド板部材２６とは全く接触することなく、コーナー部搬送機構２０内を搬送されるため、乳剤面側ガイド板部材２６が機能を果たす機会は通常はないが、カール癖が通常と異なる、或いは、腰の極端に弱い等の例外的な特性の印画紙を処理する際に、これらの印画紙の先端がコーナー部搬送機構２０と現像処理部１３のユニットとの間に形成されている間隙内に進入することを防止する機能を有する。
【００２４】
現像処理槽部１３を通過した印画紙１は、乾燥処理部１４に送り込まれ、同部内の搬送経路を通過する間に、乾燥手段１４ａによって適宜乾燥される。乾燥処理部１４の下流側端部は、大径の駆動ローラ９０と、駆動ローラ９０の周面に転動可能に密着する圧着ローラ９０ａ，９０ｂ，９０ｃが設けられている。
そして、駆動ローラ９０と圧着ローラ９０ａ，９０ｂ，９０ｃのさらに下流側には、乾燥処理部１４から排出された乾燥済みの各印画紙を上下に振り分ける振り分け機構１５が設けられており、振り分け機構１５の下流側には、印画紙を僅かに上方に送る第１出口搬送装置１６Ａと、印画紙を下方に送る第２出口搬送装置１６Ｂとが形成されている。
尚、出口部における処理能力の関係から、通常は、小判の印画紙１は、第１姿勢の可動ガイド部材４０によって、上部出口１７Ａからソータ機構１９に排出され、大判印画紙１は、第２姿勢の可動ガイド部材４０によって、下部出口１７Ｂから固定トレイ４２に排出されるように構成されている。
【００２５】
〔別実施形態〕
コーナー部搬送機構は、図６に例示されるように、無端ベルトを用いることなく、同期した周速度で回転駆動される複数のローラ対によって印画紙１を搬送するように構成しても良い。
図６に示されたコーナー部搬送機構２０′は、最も上流側に位置する第１ローラ対Ｒ′１，Ｒ′２、最も下流側に位置する第２ローラ対Ｒ′６，Ｒ′７、第１ローラ対Ｒ′１，Ｒ′２と第２ローラ対Ｒ′６，Ｒ′７の中間に配置された中間ローラ群Ｒ′３，Ｒ′４，Ｒ′５、および、これらの複数のローラに沿って設けられたガイド部材３２とを備えている。ガイド部材３２は、ベース面側ガイド板部材３４と、乳剤面側ガイド板部材３６とからなる。
【００２６】
第１ローラ対Ｒ′１，Ｒ′２のローラＲ′１と、中間ローラ群Ｒ′３，Ｒ′４，Ｒ′５のローラＲ′３と、第２ローラ対Ｒ′６，Ｒ′７のローラＲ′６は一つのモータによって同期した周速度で回転駆動される。他方、第１ローラ対Ｒ′１，Ｒ′２のローラＲ′２は、搬送中の印画紙１を挟着するためにローラＲ′１に向けて水平方向から付勢されており、同じ目的で、中間ローラ群Ｒ′３，Ｒ′４，Ｒ′５のローラＲ′４とローラＲ′５は、ローラＲ′３に向けて夫々水平方向と斜め上方から付勢されており、第２ローラ対Ｒ′６，Ｒ′７のローラＲ′７は、ローラＲ′６に向けて斜め上方から付勢されている。
【００２７】
そして、上流側の第１ローラ対Ｒ′１，Ｒ′２どうしの間と、中間ローラ群Ｒ′３，Ｒ′４，Ｒ′５のローラＲ′３とローラＲ′４の間に形成される共通の接線は、第２搬送ローラユニット６Ｕ′の鉛直上方に延びた搬送経路に沿って鉛直方向に延びている。また、下流側の第２ローラ対Ｒ′６，Ｒ′７どうしの間と、中間ローラ群Ｒ′３，Ｒ′４，Ｒ′５のローラＲ′３とローラＲ′５の間に形成される共通の接線は、水平に対して約３０°傾斜している。
【００２８】
一方、ガイド部材３２のベース面側ガイド板部材３４の後端部は、下方に面し水平に延びた案内面３４ａを形成しており、乳剤面側ガイド板部材３６の後端部は、上方に面し水平に延びた案内面３６ａを形成している。そこで、ガイド部材３２の中間部付近を中間ローラ群Ｒ′３，Ｒ′４，Ｒ′５によって搬送されて来た印画紙１の先端は、先ず、乳剤面側ガイド板部材３６側ではなく、必ずベース面側ガイド板部材３４側の水平な案内面３４ａに向かって斜めに（約３０°の突入角で）突入する。そして、搬送の経過に従って引き続き、第２ローラ対Ｒ′６，Ｒ′７による押し出し力に基づいて、印画紙１は、その屈曲点を案内面３４ａの上に保持しながら、ベース面側が、乳剤面側ガイド板部材３４の後端部の下面、すなわち水平な案内面３４ａ上に摩擦を介して接当した状態で、案内部材３２内から抜け出て、現像処理槽部１３内の搬送ローラ対３０，３０に受け渡される。
尚、図６から理解されるように、ガイド部材３２の中間部付近の湾曲部も印画紙の持つカール癖の方向とは反対向きに湾曲した形状を有するので、ベース面側に巻き込むようなカール癖を持つ一般の印画紙１であれば、ガイド部材３２の中間部付近を含めた他の部位を通過する際にも、常に印画紙１のベース面側を介してベース面側ガイド板部材３４側と積極的に接当しながら搬送され、印画紙１の乳剤面側が静止した案内部材との摩擦で損傷を受ける虞は少ない。
【図面の簡単な説明】
【図１】本発明に係るプリンタプロセッサの斜視図
【図２】図１のプリンタプロセッサの概略的な破断正面図
【図３】図１のプリンタプロセッサのコーナー部搬送機構を正面から見た略図
【図４】図３のコーナー部搬送機構の一部拡大正面図
【図５】図４のコーナー部搬送機構の別の状態に対応する正面図
【図６】コーナー部搬送機構図３の別の実施形態を示す正面図
【図７】従来技術によるコーナー部搬送機構を示す正面図
【符号の説明】
１  印画紙
２４  ベース面側ガイド板部材
２４ａ  案内面
２６  乳剤面側ガイド板部材
１３  現像処理部
Ｂ１  第１ターンベルト
Ｂ２  第２ターンベルト
ＲＰ１  第１ローラ対
【図１】
0004164720.tif 000002
【図２】
0004164720.tif 000003
【図３】
0004164720.tif 000004
【図４】
0004164720.tif 000005
【図５】
0004164720.tif 000006
【図６】
0004164720.tif 000007
【図７】
0004164720.tif 000008